(57)【要約】【課題】分解輸送されるカウンターウエイトを構成するケースの収納空間における玉掛け作業、及びロープ取り外し作業に要する時間を短縮させることができる建設機械の提供。【解決手段】本発明は、走行体１と、旋回体２と、作業装置３と、旋回体２上に設けられたエンジンルーム６と、エンジンルーム６に隣接して旋回体２の後部に取り付けられ分割輸送可能なカウンターウエイト５とを備えており、カウンターウエイト５は、外殻を形成するケース１０と、ケース１０に形成された収納空間１１に積層して収納された複数の分割ウエイト１２とを備える大型油圧ショベルにおいて、ケース１０の収納空間１１を形成する壁面１０ａにおけるエンジンルーム６側に設けられた長尺部材１５の穴部１６の下縁部１６ａから成るステップと、分割ウエイト１２に形成されてステップとの干渉を避けるくぼみ部１８から成る干渉回避部とを備えた構成となっている。【選択図】図３
2018111983.tif 000002
【特許請求の範囲】
【請求項１】
走行体と、走行体上に旋回可能に設けられた旋回体と、前記旋回体に取り付けられた作業装置と、旋回体上に設けられたエンジンルームと、前記エンジンルームに隣接して前記旋回体の後部に取り付けられ分割輸送可能なカウンターウエイトとを備えており、前記カウンターウエイトは、外殻を形成するケースと、前記ケースに形成された収納空間に積層して収納された複数の分割されたウエイトとを備える建設機械において、
前記ケースの前記収納空間を形成する壁面におけるエンジンルーム側に設けられたステップと、前記分割されたウエイトに形成されて前記ステップとの干渉を避ける干渉回避部とを備えることを特徴とする建設機械。
【請求項２】
請求項１に記載の建設機械において、
前記カウンターウエイトの前記ケースの前記収納空間に配置されて前記分割されたウエイトを上下方向に案内するウエイトガイドを備えることを特徴とする建設機械。
【請求項３】
請求項２に記載の建設機械において、
前記ウエイトガイドは、前記ケースの前記収納空間を形成する壁面に取り付けられ横断面がコ字状を形成して上下方向に延設された長尺部材から成り、
前記ステップは、前記長尺部材に形成された穴部の下縁部から成り、
前記干渉回避部は、前記分割されたウエイトに形成されて前記長尺部材との干渉を避けるくぼみ部から成ることを特徴とする建設機械。
【請求項４】
請求項２に記載の建設機械において、
前記ウエイトガイドは、前記ケースの前記収納空間を形成する壁面から前記収納空間内において水平に突出形成された突出部から成り、
前記干渉回避部は、前記分割されたウエイトに形成されて前記突出部との干渉を避けるくぼみ部から成り、
前記突出部は、前記ステップを兼ねることを特徴とする建設機械。
【請求項５】
請求項１に記載の建設機械において、
前記エンジンルームを形成するフレームに着脱可能に設けられ、前記収納空間に対する昇降時に把持が可能なハンドレールを備えることを特徴とする建設機械。
【発明の詳細な説明】
【技術分野】
【０００１】
本発明は、カウンターウエイトに形成された収納空間に複数の分割されたウエイトが積層して収納された油圧ショベル、解体仕様機などの建設機械に関する。
【背景技術】
【０００２】
この種の従来技術が特許文献１に開示されている。この従来技術は例えば油圧ショベルであり、走行体と、走行体上に旋回可能に設けられた旋回体と、この旋回体に上下方向の回動可能に取り付けられて土砂の掘削などを行う作業装置とを備えている。また、旋回体上に設けられたエンジンルームと、このエンジンルームに隣接して旋回体の後部に取り付けられたカウンターウエイトとを備えている。カウンターウエイトは、ケースを構成する主ウエイトと、この主ウエイトに形成された収納空間に積層して収納された複数の分割された補助ウエイトとから成っている。
【先行技術文献】
【特許文献】
【０００３】
【特許文献１】特開２０００−３１４１５４号公報
【発明の概要】
【発明が解決しようとする課題】
【０００４】
特許文献１に開示されるような複数の補助ウエイトのそれぞれを主ウエイトの収納空間に収納する際には、また収納空間に収納された補助ウエイトを主ウエイトの収納空間から取り出す際には、補助ウエイトに設けられた吊り具にロープを連結し、ロープをクレーンのフックに掛ける玉掛け作業、あるいはクレーンのフックからロープを外し、補助ウエイトの吊り具からロープを取り外す作業が行われる。これらの作業が１つの補助ウエイト毎に行なわれる。このような玉掛け作業及びロープ取り外し作業に際して、作業者は主ウエイトの収納空間に入って作業を行う。
【０００５】
ところで狭い場所における作業装置による作業や当該建設機械の美観の確保のために、カウンターウエイトの後端半径を抑えてカウンターウエイトの高さ寸法を高くする傾向にある。これに伴って、カウンターウエイトの重量が大きく、当該建設機械の輸送に際してカウンターウエイトを分解して輸送することが行われている大型油圧ショベルなどの建設機械では、収納空間が深く設定されている。例えば、主ウエイトの収納空間内に作業者が立った際に、補助ウエイトの収納口あるいは取り出し口となる主ウエイトの収納空間の上部開口部の高さ位置が、作業者の腹部あるいは胸部付近となることがある。
【０００６】
このようなことから、カウンターウエイトを旋回体から取り外し分解して輸送する従来の大型の建設機械では、玉掛け作業時に、あるいはロープ取り外し時に、作業者が主ウエイトの収納空間付近に備えられている構造部材の段差に足を掛けるようにして慎重に主ウエイトの収納空間に対して昇降することを行っている。このような作業者の動作は１つの補助ウエイト毎に行なわれる。したがって従来にあっては、ケースを構成する主ウエイトの収納空間における玉掛け作業、及びロープ取り外し作業に時間が掛かる問題があった。
【０００７】
上記課題を解決するために、本発明の目的は、分解輸送されるカウンターウエイトを構成するケースの収納空間における玉掛け作業、及びロープ取り外し作業に要する時間を短縮させることができる建設機械を提供することにある。
【課題を解決するための手段】
【０００８】
上記課題を解決するために、本発明に係る建設機械は、走行体と、走行体上に旋回可能に設けられた旋回体と、前記旋回体に取り付けられた作業装置と、旋回体上に設けられたエンジンルームと、前記エンジンルームに隣接して前記旋回体の後部に取り付けられ分割輸送可能なカウンターウエイトとを備えており、前記カウンターウエイトは、外殻を形成するケースと、前記ケースに形成された収納空間に積層して収納された複数の分割されたウエイトとを備える建設機械において、前記ケースの前記収納空間を形成する壁面におけるエンジンルーム側に設けられたステップと、前記分割されたウエイトに形成されて前記ステップとの干渉を避ける干渉回避部とを備えることを特徴としている。
【発明の効果】
【０００９】
本発明に係る建設機械によれば、作業者はステップを利用してカウンターウエイトのケースの収納空間に対して容易に昇降することができ、収納空間における玉掛け作業及びロープ取り外し作業を従来よりも短時間で行うことができる。これにより本発明は、カウンターウエイトの収納空間に対する分割されたウエイトの収納、取り出し作業の作業性を従来に比べて向上させることができる。
【図面の簡単な説明】
【００１０】
【図１】本発明の一実施形態を構成する大型油圧ショベルを示す側面図である。
【図２】図１に示す大型油圧ショベルを後方から見た拡大図である。
【図３】本実施形態に備えられたカウンターウエイトのケースの一部、及び分割ウエイトの一部を破断して示した図である。
【図４】本実施形態に備えられたカウンターウエイトの平面図である。
【図５】カウンターウエイトの収納空間に分割ウエイトが収納された状態を示す要部側面図である。
【図６】カウンターウエイトのケースの要部を破断して示した側面図である。
【図７】カウンターウエイトのケースの収納空間を下方から上方に向って見た斜視図である。
【図８】カウンターウエイトのケースの収納空間への昇降時の状態を示す側面図である。
【図９】カウンターウエイトのケースの収納空間の底部に作業者が立った状態を示す図である。
【図１０】分割ウエイトに対する玉掛け作業時の状態を示す図である。
【図１１】玉掛けされた分割ウエイトのクレーンによる吊り上げ時の状態を示す図である。
【図１２】カウンターウエイトのケースの一部を破断してステップの別の例を示した側面図である。
【図１３】バケットに代えて取り付けられるアタッチメントの一例として挙げた破砕具を示す正面図である。
【発明を実施するための形態】
【００１１】
以下、本発明に係る建設機械の実施の形態を図面に基づいて説明する。
【００１２】
図１，２に示すように、本発明の一実施形態に係る建設機械は、大型油圧ショベルによって構成されている。この大型油圧ショベルは、走行体１と、この走行体１上に旋回可能に設けられた旋回体２と、この旋回体２に上下方向に回動可能に取り付けられて土砂の掘削作業などを行う作業装置３とを備えている。
【００１３】
作業装置３は、旋回体２に取り付けられた第１ブーム３ａと、第１ブーム３ａの先端に取り付けられた第２ブーム３ｂと、この第２ブーム３ｂの先端に取り付けられたアーム３ｃと、このアーム３ｃの先端に取り付けられたバケット３ｄとを含んでいる。
【００１４】
旋回体２の前側位置には運転室４が配置され、後側位置には分割輸送が可能なカウンターウエイト５が取り付けられている。運転室４とカウンターウエイト５との間には、エンジン及び油圧ポンプが収納されるエンジンルーム６が設けられている。また、カウンターウエイト５の上部には、メンテナンス時の作業者の転落を防ぐ手摺り７が着脱可能に取り付けられている。
【００１５】
図３〜図５に示すように、カウンターウエイト５は、所定の板厚に設定されて剛性を有する例えば外装カバーを構成するケース１０と、このケース１０に形成された収納空間１１に積層して収納された複数の分割されたウエイト（以下、「分割ウエイト」という。）１２とを備えている。
【００１６】
図６に示すように、収納空間１１の上端部には、分割ウエイト１２の収納空間１１への収納、及び分割ウエイト１２の収納空間１１からの取り出しを許容させる上部開口部１１ａが形成されている。
【００１７】
図４，５に示すように、分割ウエイト１２の上部には一対の吊り具１２ａが一体に設けられており、分割ウエイト１２の下部には、下側に配置された分割ウエイト１２の吊り具１２ａが収納される凹部１２ｂが形成されている。
【００１８】
図３に示すように、カウンターウエイト５のケース１０は、ボルト１７及びボルト１７に螺合する図示しないナットによってエンジンルーム６を構成するフレームに着脱可能に取り付けられている。
【００１９】
図４に示すように、複数の分割ウエイト１２のそれぞれは、これらの分割ウエイト１２に形成された上下方向に貫通する貫通穴に挿入される通しボルト２０、及び通しボルト２０に螺合する図示しないナットによってケース１０の底部に締結されている。
【００２０】
カウンターウエイト５のケース１０の収納空間１１に配設され、分割ウエイト１２の収納空間１１に対する収納及び取り出しに際して分割ウエイト１２を上下方向に案内するウエイトガイドを備えている。このウエイトガイドは、図３，４，６，７に示すように、例えばケース１０の収納空間１１を形成し、エンジンルーム６側に位置する壁面１０ａに溶接部を介して取り付けられ横断面がコ字状を形成して上下方向に延設された一対の長尺部材１５から成っている。長尺部材１５の両方の側端部１５ａが溶接部を介して壁面１０ａに取り付けられ、長尺部材１５が壁面１０ａから突出した状態となっている。
【００２１】
本実施形態は、ケース１０の収納空間１１を形成する壁面１０ａにおけるエンジンルーム６側に設けられたステップと、分割ウエイト１２に形成されてステップとの干渉を避ける干渉回避部とを備えている。
【００２２】
図７に示すように、ステップは例えば、長尺部材１５の突出端面１５ｂの上下方向に複数形成された穴部１６のそれぞれの下縁部１６ａから成っている。また、図４に示すように、干渉回避部は、分割ウエイト１２のエンジンルーム６側に位置する壁部１２ｃに形成されて一対の長尺部材１５との干渉を避ける一対のくぼみ部１８から成っている。
【００２３】
同図４に示すように、長尺部材１５のそれぞれの上端には、作業者のキー等の所持物などの長尺部材１５内への落下を防ぐ遮蔽板１９が溶接部を介して取り付けられている。図７に示すように、長尺部材１５のそれぞれには、中間位置に前述の穴部１６とは別に穴部１５ｃが形成されており、前述したケース１０をエンジンルーム６を構成するフレームに取り付けるボルト１７は、この穴部１５ｃから挿入されるようになっている。なお、カウンターウエイト５の分解輸送時には、ボルト１７が緩められ旋回体２からカウンターウエイト５が取り外されて、旋回体２とは別に輸送される。
【００２４】
図６に示すように、収納空間１１の上部開口部１１ａの近傍に位置するエンジンルーム６を構成するフレーム６ａに着脱可能に設けられて、収納空間１１に対する昇降時に把持が可能なパイプ材から成るハンドレール２７を備えている。
【００２５】
このように構成された本実施形態は、玉掛け作業時及びロープ外し作業時に、図８に示すように、作業者２５はエンジンルーム６のフレーム６ａにハンドレール２７を取り付けた後、ハンドレール２７を把持しながら長尺部材１５に形成した穴部１６の下縁部１６ａから成るステップに適宜足を掛けて収納空間１１に対して昇降することができる。玉掛け作業あるいはロープ取り外し作業が完了した後には、ハンドレール２７は取り外される。
【００２６】
なお、図９に示すように、収納空間１１に分割ウエイト１２が収納されていない状態で収納空間１１の底部に作業者２５が立った状態では、例えば作業者２５の腹部付近あるいは胸部付近が収納空間１１の上部開口部１１ａの高さ位置となる。
【００２７】
例えばカウンターウエイト５の分解輸送に際して、カウンターウエイト５のケース１０に収納された複数の分割ウエイト１２の全てを収納空間１１の上部開口部１１ａからケース１０の外部に取り出すときに実施される玉掛け作業時には、例えば図１，２，５に示す手摺り７が取り外され、作業者２５は例えばハンドレール２７を把持しながら最上位置に配置された分割ウエイト１２の上面に降りる。ここで図４に示す一対の通しボルト２０が抜き取られる。図１０に示すように、作業者２５は分割ウエイト１２の吊り具１２ａにロープ２１を連結し、ロープ２１をクレーンのフックに掛ける玉掛け作業を行う。その後作業者２５は、例えばハンドレール２７を把持しながら昇ってカウンターウエイト５の外部に出る。この状態で図１１に示すように、クレーンにより分割ウエイト１２はケース１０から外部に吊り上げられる。同様の動作が、１つの分割ウエイト１２毎に行なわれる。
【００２８】
全ての分割ウエイト１２がケース１０の収納空間１１から取り出された後、図３，７，１０，１１に示すボルト１７がエンジンルーム６のフレームから抜き取られて、カウンターウエイト５のケース１０がクレーンにより吊り上げられて旋回体２から取り外される。
【００２９】
この間、ケース１０の収納空間１１に収納された分割ウエイト１１２の数が少なくなって収納空間１１に収納された分割ウエイト１２の上面までの深さが深くなったときなどにおいては、収納空間１１に対する昇降に際して作業者２５は穴部１６の下縁部１６ａに足を掛けながら、すなわち下縁部１６ａをステップとして昇降を行うことができる。
【００３０】
分解輸送されたカウンターウエイト５を例えば輸送現場において旋回体２に取り付けるに際しては、前述と逆の動作が行われる。すなわち、ケース１０がエンジンルーム６のフレームに取り付けられる。また、ケースの収納空間１１に分割ウエイト１２が収納され、クレーンのフック２２からのロープ２１の外し、分割ウエイト１２の吊り具１２ａからのロープ２１の取り外し作業が行われる。収納空間１１に対する作業者２５の昇降時には、ハンドレール２７を把持することにより、またステップを形成する穴部１６の下縁部１６ａに適宜足を掛けることにより昇降を行うことができる。全ての分割ウエイト１２が収納空間１１に積層収納されると、通しボルト２０によって全ての分割ウエイト１２がケース１０の底部に固定される。その後、手摺り７がケース１０の上部に取り付けられる。
【００３１】
前述した手順では収納空間１１に対する分割ウエイト１２の収納、取り出しに際して手摺り７を取り外したが、手摺り７を取り外すことなく分割ウエイト１２の収納、取り出しが可能な状況にあっては、手摺り７を取り外すことなく作業が行われる。
【００３２】
このように構成した本実施形態によれば、作業者２５は長尺部材１５の穴部１６の下縁部１６ａから成るステップを利用して、カウンターウエイト５のケース１０の収納空間１１に対して容易に昇降することができる。したがって、収納空間１１における玉掛け作業及びロープ取り外し作業を短時間で行うことができる。これにより本実施形態は、カウンターウエイト５のケース１０の収納空間１１に対する分割ウエイト１２の収納、取り出し作業の作業性を向上させることができる。
【００３３】
また、本実施形態は、エンジンルーム６側に位置するケース１０の収納空間１１を形成する壁面１０ａに、長尺部材１５を溶接部を介して固定することによって作業者２５の昇降に利用されるステップを設けることができるので、ケース１０内にステップが設けられていない既設の大型油圧ショベルにあっても、簡単にステップを設けることができる。
【００３４】
なお、前述の実施形態では、図６に示すように、ハンドレール２７の上端部がカウンターウエイト５に向う方向に屈折して設けられているが、図１２に示すように、ハンドレール２７の上部がカウンターウエイト５から離れる方向に屈折して設けられていてもよい。このハンドレール２７は種々の形状に構成することができる。
【００３５】
また、前述の実施形態は、分割ウエイト１２を上下方向に案内するウエイトガイドが長尺部材１５によって構成され、ステップが長尺部材１５の穴部１６の下縁部１６ａによって構成されているが、本発明は、このようにウエイトガイド及びステップを構成することには限定されない。同図１２に示すように、ウエイトガイドを、ケース１０の収納空間１１を形成するエンジンルーム６側の壁面１０ａから収納空間１１内において水平に突出形成された複数の突出部３０によって構成し、これらの突出部３０をステップとして兼用する構成としてもよい。突出部３０は、ケース１０の壁面１０ａから切り起こし形成されてもよく、また壁面１０ａに溶接部を介して固定されてもよい。
【００３６】
また、前述の実施形態は、カウンターウエイト５のケース１０が外装カバーを構成しているが、ケース１０が主ウエイトから成る構成としてもよい。
【００３７】
また、前述の実施形態は、大型油圧ショベルから成っているが、本発明の建設機械は大型油圧ショベルには限定されない。バケット３ｄに代えて図１３に示すような破砕具３５を備えた解体仕様機から成る建設機械にも適用可能である。また、作業装置３を構成するブーム、アームも種々のものに変更可能である。
【符号の説明】
【００３８】
１    走行体
２    旋回体
３    作業装置
５    カウンターウエイト
６    エンジンルーム
６ａ  フレーム
１０    ケース
１０ａ  壁面
１１    収納空間
１１ａ  上部開口部
１２    分割されたウエイト
１２ａ  吊り具
１２ｂ  凹部
１５    長尺部材（ウエイトガイド）
１６    穴部
１６ａ  下縁部（ステップ）
１８    くぼみ部（干渉回避部）
２１    ロープ
２２    フック
２７    ハンドレール
３０    突出部（ウエイトガイド）（ステップ）
３１    ハンドレール
３５    破砕具
【図１】
2018111983.tif 000003
【図２】
2018111983.tif 000004
【図３】
2018111983.tif 000005
【図４】
2018111983.tif 000006
【図５】
2018111983.tif 000007
【図６】
2018111983.tif 000008
【図７】
2018111983.tif 000009
【図８】
2018111983.tif 000010
【図９】
2018111983.tif 000011
【図１０】
2018111983.tif 000012
【図１１】
2018111983.tif 000013
【図１２】
2018111983.tif 000014
【図１３】
2018111983.tif 000015